(57)【要約】      （修正有）【課題】トナー収容器から現像カートリッジに供給されるトナーがこぼれることを抑制できるとともに、本体筐体に対する現像カートリッジの着脱作業を円滑に実施することができる画像形成装置を提供する。【解決手段】画像形成装置は、本体筐体２と、ドロワと、現像カートリッジ６Ｙと、トナー収容器２１Ｙと、補給管２２Ｙとを備える。補給管２２Ｙは、現像カートリッジ６Ｙに接続される接続位置に位置する状態で、ドロワに支持された現像カートリッジ６Ｙにトナー収容器２１Ｙからトナーを補給する。補給管２２Ｙは、ドロワが本体筐体２内から本体筐体２外へ移動する場合に、現像カートリッジ６Ｙの一部と接触することにより、接続位置から、現像カートリッジ６Ｙとの接続が解除される非接続位置へ移動する。【選択図】図４
2019207352.tif 000002
【特許請求の範囲】
【請求項１】
本体筐体と、
前記本体筐体内に位置する内側位置と、前記本体筐体外に位置する外側位置との間を移動方向に移動可能なドロワと、
前記ドロワに着脱可能に支持され、現像ローラを有する現像カートリッジと、
前記本体筐体に着脱可能で、かつ、トナーを収容可能なトナー収容器と、
前記ドロワに支持された前記現像カートリッジに前記トナー収容器から前記トナーを補給するための補給管であって、前記現像カートリッジに接続されて前記トナー収容器から前記トナーを補給可能な接続位置と、前記現像カートリッジに接続されていない非接続位置との間で移動可能な補給管と、を備え、
前記補給管は、前記現像カートリッジが前記ドロワに支持された状態で、前記ドロワが前記内側位置から前記外側位置へ移動する場合に、前記現像カートリッジの一部と接触することにより、前記接続位置から前記非接続位置へ移動することを特徴とする、画像形成装置。
【請求項２】
前記画像形成装置は、さらに、
前記補給管を移動可能に支持する支持部材と、
前記非接続位置に位置する前記補給管を前記接続位置に向かって押圧する押圧部材と、
前記非接続位置に位置する前記補給管を前記支持部材に対してロックするためのロック部材であって、前記補給管を前記支持部材に対してロックするロック位置と、前記支持部材に対する前記補給管のロックが解除されるロック解除位置との間を、前記補給管の移動方向と交差する交差方向に移動可能なロック部材と、
を備えることを特徴とする、請求項１に記載の画像形成装置。
【請求項３】
前記補給管は、前記ロック部材と、前記ロック解除位置に位置する前記ロック部材を前記ロック位置に向かって押圧する第２押圧部材と、を備え、
前記支持部材は、前記補給管が前記非接続位置に位置した状態で前記ロック位置に位置する前記ロック部材が嵌まるロック穴を有することを特徴とする、請求項２に記載の画像形成装置。
【請求項４】
前記ロック部材は、前記補給管が前記接続位置に位置する状態で前記支持部材に接触する湾曲面を有し、
前記補給管は、前記現像カートリッジが前記ドロワに装着された状態で、前記ドロワが前記内側位置から前記外側位置へ移動する場合に、前記現像カートリッジの一部と接触することにより、前記接続位置から、前記接続位置と前記非接続位置との間の中間位置まで移動し、前記湾曲面が前記ロック穴の縁と接触することにより、前記中間位置から前記非接続位置まで移動し、
前記補給管が前記非接続位置に位置する状態で、前記補給管は、前記ドロワに支持された前記現像カートリッジの前記移動方向における移動軌跡と重ならない位置に位置することを特徴とする、請求項３に記載の画像形成装置。
【請求項５】
前記ロック穴は、貫通穴であり、
前記本体筐体は、前記ドロワが通過する開口と、前記開口を開ける開位置と前記開口を閉じる閉位置との間を移動可能なカバーとを有し、
前記画像形成装置は、
前記ロック位置に位置する前記ロック部材から離れて位置する離間位置と、前記ロック位置に位置する前記ロック部材を前記ロック解除位置へ向かって押圧する押圧位置との間で移動可能なロック解除部材と、
前記カバーの移動に伴って移動可能なカムであって、前記カバーが前記開位置に位置する状態で、前記ロック解除部材を前記離間位置に位置させる第１位置に位置し、前記カバーが前記閉位置に位置する状態で、前記ロック解除部材を前記押圧位置に位置させる第２位置に位置するカムと
を備えることを特徴とする、請求項３または請求項４に記載の画像形成装置。
【請求項６】
前記トナー収容器は、
前記本体筐体に装着された状態で前記本体筐体の外部に位置し、前記トナーを収容する収容部と、
前記本体筐体に装着された状態で前記本体筐体の内部に位置し、前記収容部に収容された前記トナーを前記補給管に供給する供給部と、を有し、
前記支持部材は、前記本体筐体の内壁から突出する筒形状を成し、前記補給管と接触して前記補給管の移動を案内する内面と、前記供給部と接触して前記トナー収容器の前記本体筐体への着脱を案内する外面と、を有する
ことを特徴とする、請求項２から請求項５のいずれか一項に記載の画像形成装置。
【請求項７】
前記供給部は、前記収容部に収容された前記トナーを排出する排出穴を有し、
前記支持部材は、前記トナー収容器が前記本体筐体に装着された状態で前記排出穴と通じる連通穴を有し、
前記補給管は、前記補給管が前記接続位置に位置する状態において前記排出穴から排出された前記トナーを前記連通穴を介して受け入れる受入穴と、前記補給管が前記非接続位置に位置する状態において前記連通穴を遮蔽する遮蔽壁と、を有する
ことを特徴とする請求項６に記載の画像形成装置。
【請求項８】
前記現像カートリッジの一部は、前記移動方向に対して傾斜する第１傾斜面であり、
前記補給管は、前記第１傾斜面と平行な第２傾斜面を有し、
前記補給管は、前記現像カートリッジが前記ドロワに支持された状態で、前記ドロワが前記内側位置から前記外側位置へ移動する場合に、前記第２傾斜面が前記第１傾斜面と接触することにより、前記接続位置から前記非接続位置へ向かって移動することを特徴とする、請求項１から請求項７のいずれか一項に記載の画像形成装置。
【請求項９】
４つの前記現像カートリッジと、
４つの前記トナー収容器と、
４つの前記補給管と
を備えることを特徴とする、請求項１から請求項８のいずれか一項に記載の画像形成装置。
【発明の詳細な説明】
【技術分野】
【０００１】
本開示は、画像形成装置に関する。
【背景技術】
【０００２】
従来、画像形成装置は、本体筐体と、ドロワと、プロセスユニットと、トナー収容器とシャッターとを備える（下記特許文献１参照）。
【０００３】
ドロワは、本体筐体内に位置する内側位置と、本体筐体外に位置する外側位置との間を移動可能である。プロセスユニットは、感光ドラムと現像ローラとを有し、ドロワに着脱可能に支持される。トナー収容器は、本体筐体に着脱可能で、かつ、トナーを収容可能である。トナー収容器内のトナーは、プロセスユニットがドロワに装着され、ドロワが内側位置に位置する状態で、プロセスユニットに供給される。シャッターは、ドロワが外側位置に位置する状態で、トナー収容器からのトナーの排出を遮断する閉位置に位置し、ドロワが内側位置に位置する状態で、トナー収容器からプロセスユニットへのトナーの供給を許容する開位置に位置する。シャッターは、ドロワの内側位置から外側位置への移動に連動して、開位置から閉位置へ移動し、ドロワの外側位置から内側位置への移動に連動して、閉位置から開位置へ移動する。
【先行技術文献】
【特許文献】
【０００４】
【特許文献１】特開２０１１−２２１５６２号公報
【発明の概要】
【発明が解決しようとする課題】
【０００５】
上記した特許文献１に記載されるような画像形成装置では、トナー収容器からプロセスユニットに供給されるトナーが、トナー収容器とプロセスユニットとの間からこぼれる可能性がある。
【０００６】
そこで、本開示の目的は、トナー収容器から現像カートリッジに供給されるトナーがこぼれることを抑制できるとともに、本体筐体に対する現像カートリッジの着脱作業を円滑に実施することができる画像形成装置を提供することにある。
【課題を解決するための手段】
【０００７】
（１）本開示の画像形成装置は、本体筐体と、ドロワと、現像カートリッジと、トナー収容器と、補給管とを備える。
【０００８】
ドロワは、本体筐体内に位置する内側位置と、本体筐体外に位置する外側位置との間を移動方向に移動可能である。
【０００９】
現像カートリッジは、ドロワに着脱可能に支持され、現像ローラを有する。
【００１０】
トナー収容器は、本体筐体に着脱可能で、かつ、トナーを収容可能である。
【００１１】
補給管は、ドロワに支持された現像カートリッジにトナー収容器からトナーを補給する。補給管は、現像カートリッジに接続されてトナー収容器からトナーを補給可能な接続位置と、現像カートリッジに接続されていない非接続位置との間で移動可能である。
【００１２】
補給管は、現像カートリッジがドロワに支持された状態で、ドロワが内側位置から外側位置へ移動する場合に、現像カートリッジの一部と接触することにより、接続位置から非接続位置へ移動する。
【００１３】
このような構成によれば、現像カートリッジを支持するドロワが内側位置に位置し、補給管が接続位置に位置する場合、補給管が現像カートリッジに接続された状態で、トナー収容器から現像カートリッジに補給管を介してトナーを補給可能である。
【００１４】
そのため、トナー収容器から現像カートリッジに供給されるトナーがこぼれることを抑制できる。
【００１５】
また、現像カートリッジがドロワに支持された状態で、ドロワが内側位置から外側位置へ移動する場合に、補給管を、接続位置から非接続位置へ移動させることができる。
【００１６】
そのため、ユーザーは、補給管を接続位置から非接続位置へ移動させる作業と、ドロワを内側位置から外側位置へ移動させる作業とを個別に行う必要が無く、ドロワを内側位置から外側位置へ移動させる作業に伴って、補給管を接続位置から非接続位置へ移動させることができる。
【００１７】
その結果、本体筐体に対する現像カートリッジの着脱作業を円滑に実行することができる。
【００１８】
（２）画像形成装置は、さらに、支持部材と、押圧部材と、ロック部材とを備えてもよい。支持部材は、補給管を移動可能に支持する。押圧部材は、非接続位置に位置する補給管を接続位置に向かって押圧する。ロック部材は、非接続位置に位置する補給管を支持部材に対してロックする。ロック部材は、補給管を支持部材に対してロックするロック位置と、支持部材に対する補給管のロックが解除されるロック解除位置との間を、補給管の移動方向と交差する交差方向に移動可能である。
【００１９】
このような構成によれば、非接続位置に位置する補給管を支持部材に対してロックすることができる。
【００２０】
その結果、ユーザが意図しないタイミングで、補給管が非接続位置から接続位置へ戻ることを抑制できる。
【００２１】
（３）補給管は、ロック部材と、第２押圧部材とを備えてもよい。第２押圧部材は、ロック解除位置に位置するロック部材をロック位置に向かって押圧する。支持部材は、ロック穴を有してもよい。ロック穴は、補給管が非接続位置に位置した状態で、ロック位置に位置するロック部材が嵌まる。
【００２２】
このような構成によれば、ロック部材を支持部材のロック穴に嵌めるという簡単な構成で、補給管を支持部材に対してロックすることができる。
【００２３】
（４）ロック部材は、湾曲面を有してもよい。湾曲面は、補給管が接続位置に位置する状態で、支持部材に接触する。補給管は、現像カートリッジがドロワに装着された状態で、ドロワが内側位置から外側位置へ移動する場合に、現像カートリッジの一部と接触することにより、接続位置から、接続位置と非接続位置との間の中間位置まで移動する。補給管は、湾曲面がロック穴の縁と接触することにより、中間位置から非接続位置まで移動する。補給管が非接続位置に位置する状態で、補給管は、ドロワに支持された現像カートリッジの移動方向における移動軌跡と重ならない位置に位置する。
【００２４】
このような構成によれば、ロック部材に湾曲面を設けるという簡単な構成で、補給管を、ドロワに支持された現像カートリッジの移動方向における移動軌跡と重ならない非接続位置まで、移動させてロックすることができる。
【００２５】
これにより、現像カートリッジを支持するドロワが内側位置と外側位置との間を移動するときに、現像カートリッジが補給管と接触することを防止できる。
【００２６】
（５）ロック穴は、貫通穴であってもよい。本体筐体は、ドロワが通過する開口と、カバーとを有してもよい。カバーは、開口を開放する開位置と、開口を閉鎖する閉位置との間を移動可能である。画像形成装置は、ロック解除部材と、カムとを備えてもよい。ロック解除部材は、ロック位置に位置するロック部材から離れて位置する離間位置と、ロック位置に位置するロック部材をロック解除位置へ向かって押圧する押圧位置との間で移動可能である。カムは、カバーの移動に伴って移動可能である。カムは、カバーが開位置に位置する状態で、ロック解除部材を離間位置に位置させる第１位置に位置し、カバーが閉位置に位置する状態で、ロック解除部材を押圧位置に位置させる第２位置に位置する。
【００２７】
このような構成によれば、カバーが開位置に位置する状態で、ロック解除部材は、ロック位置に位置するロック部材から離れる。
【００２８】
そのため、ドロワが内側位置に位置する状態で、カバーが閉位置から開位置へ移動した場合、補給管は、接続位置から移動しない。
【００２９】
これにより、ドロワを外側位置に位置させる必要が無いときに、ユーザーがカバーを閉位置から開位置へ移動させた場合に、補給管が非接続位置に位置することを防止できる。
【００３０】
その結果、ユーザが意図せず補給管を非接続位置に位置させることを抑制でき、トナー漏れを抑制できる。
【００３１】
また、カバーが閉位置に位置する状態で、ロック解除部材は、ロック位置に位置するロック部材をロック解除位置へ向かって押圧する。
【００３２】
これにより、カバーの開位置から閉位置への移動に連動して、ロック部材をロック解除位置へ移動させることができる。
【００３３】
その結果、現像カートリッジを支持するドロワが内側位置に位置した状態で、補給管を接続位置から非接続位置に移動させることができる。
【００３４】
（６）トナー収容器は、収容部と、供給部とを有してもよい。収容部は、本体筐体に装着された状態で本体筐体の外部に位置し、トナーを収容する。供給部は、本体筐体に装着された状態で本体筐体の内部に位置し、収容部に収容されたトナーを補給管に供給する。支持部材は、本体筐体の内壁から突出する筒形状を成す。支持部材は、補給管と接触して補給管の移動を案内する内面と、供給部と接触してトナー収容器の本体筐体への着脱を案内する外面とを有する。
【００３５】
このような構成によれば、支持部材の内面により補給管の移動を案内できるとともに、支持部材の外面を利用して、トナー収容器の本体筐体への着脱を案内できる。
【００３６】
（７）供給部は、排出穴を有してもよい。排出穴は、収容部に収容されたトナーを排出する。支持部材は、連通穴を有してもよい。連通穴は、トナー収容器が本体筐体に装着された状態で排出穴と通じる。補給管は、受入穴と、遮蔽壁を有してもよい。受入穴は、補給管が接続位置に位置する状態において、連通穴を介して排出穴から排出されたトナーを受け入れる。遮蔽壁は、補給管が非接続位置に位置する状態において、連通穴を遮蔽する。
【００３７】
このような構成によれば、補給管の遮蔽壁を利用して、トナー収容部から補給管へのトナーの流入を遮断することができる。
【００３８】
（８）現像カートリッジの一部は、移動方向に対して傾斜する第１傾斜面であってもよい。補給管は、第１傾斜面と平行な第２傾斜面を有してもよい。補給管は、現像カートリッジがドロワに支持された状態で、ドロワが内側位置から外側位置へ移動する場合に、第２傾斜面が第１傾斜面と接触することにより、接続位置から非接続位置へ向かって移動する。
【００３９】
このような構成によれば、現像カートリッジおよび補給管のそれぞれに傾斜面を設けるという簡単な構成で、現像カートリッジがドロワに支持された状態で、ドロワが内側位置から外側位置へ移動する場合に、補給管を接続位置から非接続位置へ向かって移動させることができる。
【００４０】
（９）画像形成装置は、４つの現像カートリッジと、４つのトナー収容器と、４つの補給管とを備えてもよい。
【００４１】
このような構成によれば、画像形成装置が４つの現像カートリッジを備える構成において、トナー収容器から現像カートリッジに供給されるトナーがこぼれることを抑制できるとともに、本体筐体に対する現像カートリッジの着脱作業を円滑に実施することができる。
【発明の効果】
【００４２】
本開示の画像形成装置によれば、トナー収容器から現像カートリッジに供給されるトナーがこぼれることを抑制できるとともに、本体筐体に対する現像カートリッジの着脱作業を円滑に実施することができる。
【図面の簡単な説明】
【００４３】
【図１】図１は、画像形成装置の概略構成図である。
【図２】図２は、図１に示す画像形成装置であって、ドロワが外側位置に位置した状態を示す。
【図３】図３は、図１に示す画像形成装置の斜視図である。
【図４】図４は、補給管の移動を説明する説明図であって、補給管が接続位置に位置した状態を示す。なお、図４は、図６に示すＡ−Ａ線に相当する断面を示す。
【図５】図５は、図４とともに補給管の移動を説明する説明図であって、補給管が非接続位置に位置した状態を示す。
【図６】図６は、画像形成装置の断面図であって、図１０Ｂに示すＢ−Ｂ線に相当する断面を示す。
【図７】図７は、支持部材に対する補給管のロックを説明する説明図であって、補給管が接続位置に位置し、ロック部材がロック解除位置に位置した状態を示す。
【図８】図８は、図７とともに支持部材に対する補給管のロックを説明する説明図であって、補給管が中間位置に位置し、ロック部材がロック穴の縁に接触した状態を示す。
【図９】図９は、図７および図８とともに支持部材に対する補給管のロックを説明する説明図であって、補給管が非接続位置に位置し、ロック部材がロック位置に位置した状態を示す。
【図１０】図１０Ａは、カバーとロック解除部材との連動を説明する説明図であって、カバーが開位置に位置し、カムが第１位置に位置し、ロック解除部材が離間位置に位置した状態を示す。図１０Ｂは、図１０Ａとともにカバーとロック解除部材との連動を説明する説明図であって、カバーが閉位置に位置し、カムが第２位置に位置し、ロック解除部材が押圧位置に位置した状態を示す。
【発明を実施するための形態】
【００４４】
１．画像形成装置１の概略
図１および図２を参照して、画像形成装置１の概略について説明する。
【００４５】
図１に示すように、画像形成装置１は、本体筐体２と、給紙トレイ３と、ドロワ４と、露光装置５と、４つの現像カートリッジ６Ｙ、６Ｍ、６Ｃ、６Ｋと、転写装置７と、定着器８とを備える。
【００４６】
１．１  本体筐体
本体筐体２は、画像形成装置１の外装を構成する。本体筐体２は、給紙トレイ３と、ドロワ４と、露光装置５と、４つの現像カートリッジ６Ｙ、６Ｍ、６Ｃ、６Ｋと、転写装置７と、定着器８とを収容する。本体筐体２は、開口２Ａと、カバー２Ｂとを有する。
【００４７】
カバー２Ｂは、開位置（図２参照）と閉位置（図１参照）との間を移動可能である。カバー２Ｂが開位置に位置する状態で、カバー２Ｂは、開口２Ａを開ける。カバー２Ｂが閉位置に位置する状態で、カバー２Ｂは、開口２Ａを閉じる。
【００４８】
１．２  給紙トレイ
給紙トレイ３は、印刷媒体Ｐを収容する。給紙トレイ３内の印刷媒体Ｐは、感光ドラム９Ｙに向かって搬送される。印刷媒体Ｐは、例えば、印刷用紙である。感光ドラム９Ｙについては、後で説明する。
【００４９】
１．３  ドロワ
ドロワ４は、内側位置（図１参照）と外側位置（図２参照）との間を、移動方向に移動可能である。ドロワ４が内側位置に位置する状態で、ドロワ４は、本体筐体２内に位置する。ドロワ４が外側位置に位置する状態で、ドロワ４は、本体筐体２外に位置する。カバー２Ｂが開位置に位置する状態で、ドロワ４が内側位置と外側位置との間を移動する場合、ドロワ４は、開口２Ａを通過する。ドロワ４は、４つの感光ドラム９Ｙ、９Ｍ、９Ｃ、９Ｋと、４つの帯電器１０Ｙ、１０Ｍ、１０Ｃ、１０Ｋとを有する。
【００５０】
４つの感光ドラム９Ｙ、９Ｍ、９Ｃ、９Ｋは、ドロワ４の移動方向に並ぶ。感光ドラム９Ｙは、軸方向に延びる回転軸について回転可能である。軸方向は、ドロワ４の移動方向と交差する。好ましくは、軸方向は、ドロワ４の移動方向と直交する。感光ドラム９Ｙは、軸方向に延び、円筒形状を有する。感光ドラム９Ｍ、９Ｃ、９Ｋのそれぞれについての説明は、感光ドラム９Ｙの説明と同様であるため、省略する。
【００５１】
帯電器１０Ｙは、感光ドラム９Ｙの周面を帯電させる。帯電器１０Ｍは、感光ドラム９Ｍの周面を帯電させる。帯電器１０Ｃは、感光ドラム９Ｃの周面を帯電させる。帯電器１０Ｋは、感光ドラム９Ｋの周面を帯電させる。４つの帯電器１０Ｙ、１０Ｍ、１０Ｃ、１０Ｋのそれぞれは、具体的には、スコロトロン型の帯電器である。なお、４つの帯電器１０Ｙ、１０Ｍ、１０Ｃ、１０Ｋのそれぞれは、帯電ローラであってもよい。
【００５２】
１．４  露光装置
露光装置５は、感光ドラム９Ｙを露光する。詳しくは、露光装置５は、帯電器１０Ｙによって帯電された感光ドラム９Ｙの周面に光を照射することにより、感光ドラム９Ｙの周面を露光する。これにより、静電潜像が、感光ドラム９Ｙの周面に形成される。露光装置５は、具体的には、レーザー光で感光ドラム９Ｙの周面を走査するレーザースキャンユニットである。なお、露光装置５は、ＬＥＤアレイを備えるＬＥＤユニットであってもよい。露光装置５は、感光ドラム９Ｍ、９Ｃ、９Ｋも露光する。
【００５３】
１．５  ４つの現像カートリッジ
４つの現像カートリッジ６Ｙ、６Ｍ、６Ｃ、６Ｋのそれぞれは、ドロワ４に着脱可能に支持される。詳しくは、ドロワ４は、４つの現像カートリッジ６Ｙ、６Ｍ、６Ｃ、６Ｋを支持した状態で、内側位置と外側位置との間を移動可能である。４つの現像カートリッジ６Ｙ、６Ｍ、６Ｃ、６Ｋのそれぞれは、ドロワ４が外側位置に位置する状態で、ドロワ４に対して着脱可能である。４つの現像カートリッジ６Ｙ、６Ｍ、６Ｃ、６Ｋのそれぞれは、トナーを収容可能である。詳しくは、４つの現像カートリッジ６Ｙ、６Ｍ、６Ｃ、６Ｋのそれぞれは、未使用の状態で、トナーを収容する。現像カートリッジ６Ｙは、現像ローラ１１Ｙを有する。
【００５４】
現像ローラ１１Ｙは、軸方向に延びる回転軸について回転可能である。現像ローラ１１Ｙは、現像カートリッジ６Ｙがドロワ４に装着された状態で、感光ドラム９Ｙの周面に接触する。現像ローラ１１Ｙは、現像カートリッジ６Ｙ内のトナーを感光ドラム９Ｙの周面に供給可能である。現像ローラ１１Ｙは、軸方向に延び、円柱形状を有する。
【００５５】
現像カートリッジ６Ｍは、現像ローラ１１Ｍを有し、現像カートリッジ６Ｃは、現像ローラ１１Ｃを有し、現像カートリッジ６Ｋは、現像ローラ１１Ｋを有する。現像ローラ１１Ｍ、１１Ｃ、１１Ｋのそれぞれについての説明は、現像ローラ１１Ｙの説明と同様であるため、省略する。
【００５６】
１．６  転写装置
転写装置７は、給紙トレイ３からの印刷媒体Ｐを定着器８に向かって搬送する。転写装置７によって搬送される印刷媒体Ｐは、転写装置７と、４つの感光ドラム９Ｙ、９Ｍ、９Ｃ、９Ｋとの間を通る。このとき、転写装置７は、４つの感光ドラム９Ｙ、９Ｍ、９Ｃ、９Ｋのそれぞれに形成されたトナー像を、印刷媒体Ｐに転写する。
【００５７】
１．７  定着器
定着器８は、トナー像が転写された印刷媒体Ｐを加熱および加圧して、印刷媒体Ｐにトナー像を定着させる。定着器８を通過した印刷媒体Ｐは、本体筐体２の上面に排紙される。
【００５８】
２．画像形成装置１の詳細
次に、図３から図１０Ｂを参照して、画像形成装置１の詳細について説明する。
【００５９】
画像形成装置１は、４つのトナー収容器２１Ｙ、２１Ｍ、２１Ｃ、２１Ｋ（図３参照）と、４つの補給管２２Ｙ、２２Ｍ、２２Ｃ、２２Ｋ（図６参照）と、４つの支持部材２３Ｙ、２３Ｍ、２３Ｃ、２３Ｋ（図６参照）と、４つの押圧部材２４Ｙ、２４Ｍ、２４Ｃ、２４Ｋ（図６参照）と、４つのロック解除部材２５Ｙ、２５Ｍ、２５Ｃ、２５Ｋ（図１０Ａ参照）と、カム２６（図１０Ａ参照）とを備える。
【００６０】
なお、４つのトナー収容器２１Ｙ、２１Ｍ、２１Ｃ、２１Ｋのそれぞれは、同じ構造を有し、４つの補給管２２Ｙ、２２Ｍ、２２Ｃ、２２Ｋのそれぞれは、同じ構造を有し、４つの支持部材２３Ｙ、２３Ｍ、２３Ｃ、２３Ｋのそれぞれは、同じ構造を有し、４つの押圧部材２４Ｙ、２４Ｍ、２４Ｃ、２４Ｋのそれぞれは、同じ構造を有し、４つのロック解除部材２５Ｙ、２５Ｍ、２５Ｃ、２５Ｋのそれぞれは、同じ構造を有する。そのため、以下の説明では、トナー収容器２１Ｙ、補給管２２Ｙ、支持部材２３Ｙ、押圧部材２４Ｙ、ロック解除部材２５Ｙについて詳しく説明し、トナー収容器２１Ｍ、２１Ｃ、２１Ｋ、補給管２２Ｍ、２２Ｃ、２２Ｋ、支持部材２３Ｍ、２３Ｃ、２３Ｋ、押圧部材２４Ｍ、２４Ｃ、２４Ｋ、ロック解除部材２５Ｍ、２５Ｃ、２５Ｋについての説明を省略する。
【００６１】
２．１  トナー収容器
図３に示すように、４つのトナー収容器２１Ｙ、２１Ｍ、２１Ｃ、２１Ｋは、ドロワ４の移動方向に並ぶ。４つのトナー収容器２１Ｙ、２１Ｍ、２１Ｃ、２１Ｋのそれぞれは、本体筐体２に着脱可能で、かつ、トナーを収容可能である。
【００６２】
図４に示すように、トナー収容器２１Ｙは、収容部２８Ｙと、供給部２９Ｙと、スクリュー３０Ｙとを有する。
【００６３】
収容部２８Ｙは、軸方向に延びる。収容部２８Ｙは、円筒形状を有する。収容部２８Ｙは、トナー収容器２１Ｙが本体筐体２に装着された状態で、本体筐体２の外部に位置する。収容部２８Ｙは、トナーを収容する。
【００６４】
供給部２９Ｙは、収容部２８Ｙから延びる。供給部２９Ｙの内部空間は、収容部２８Ｙの内部空間と通じる。供給部２９Ｙは、軸方向に延びる。供給部２９Ｙは、円筒形状を有する。供給部２９Ｙは、トナー収容器２１Ｙが本体筐体２に装着された状態で、本体筐体２の内部に位置する。供給部２９Ｙは、排出穴３１Ｙを有する。
【００６５】
排出穴３１Ｙは、供給部２９Ｙの周壁の一部に設けられる。排出穴３１Ｙは、貫通穴である。排出穴３１Ｙは、供給部２９Ｙの内部空間と通じる。収容部２８Ｙから供給部２９Ｙに流入したトナーは、排出穴３１Ｙから排出される。すなわち、排出穴３１Ｙは、収容部２８Ｙに収容されたトナーを排出する。トナー収容器２１Ｙが本体筐体２に装着され、補給管２２Ｙが接続位置に位置した状態で、排出穴３１Ｙから排出されたトナーは、支持部材２３Ｙの連通穴４７Ｙ（図７参照）、および、補給管２２Ｙの受入穴４１Ｙ（図７参照）を通って、補給管２２Ｙ内に流入する。これにより、供給部２９Ｙは、収容部２８Ｙに収容されたトナーを補給管２２Ｙに供給する。連通穴４７Ｙおよび受入穴４１Ｙについては、後で説明する。
【００６６】
スクリュー３０Ｙは、トナー収容器２１Ｙ内に位置する。スクリュー３０Ｙは、軸方向に延びる。スクリュー３０Ｙは、収容部２８Ｙから排出穴３１Ｙまで延びる。これにより、スクリュー３０Ｙは、収容部２８Ｙ内のトナーを排出穴３１Ｙまで搬送可能である。スクリュー３０Ｙは、具体的には、オーガスクリューである。
【００６７】
２．２  補給管
補給管２２Ｙは、図４に示すように、支持部材２３Ｙに支持される。補給管２２Ｙは、支持部材２３Ｙを介して、軸方向における本体筐体２の内壁２Ｃに支持される。すなわち、本体筐体２は、補給管２２Ｙを備える。なお、内壁２Ｃは、４つの貫通穴３２Ｙ（図４参照）、３２Ｍ、３２Ｃ、３２Ｋを有する。貫通穴３２Ｍ、３２Ｃ、３２Ｋは、図示されていない。貫通穴３２Ｙには、トナー収容器２１Ｙの供給部２９Ｙが挿通され、貫通穴３２Ｍには、トナー収容器２１Ｍの供給部２９Ｍが挿通され、貫通穴３２Ｃには、トナー収容器２１Ｃの供給部２９Ｃが挿通され、貫通穴３２Ｋには、トナー収容器２１Ｋの供給部２９Ｋが挿通される。
【００６８】
補給管２２Ｙは、接続位置（図４参照）と非接続位置（図５参照）との間で、軸方向に移動可能である。図４に示すように、現像カートリッジ６Ｙを支持したドロワ４が内側位置に位置し、補給管２２Ｙが接続位置に位置する状態で、補給管２２Ｙは、ドロワ４に支持された現像カートリッジ６Ｙに接続される。この状態で、補給管２２Ｙは、ドロワ４に支持された現像カートリッジ６Ｙにトナー収容器２１Ｙからトナーを補給する。すなわち、補給管２２Ｙは、トナー収容器２１Ｙから現像カートリッジ６Ｙにトナーを補給可能である。また、図５に示すように、補給管２２Ｙが非接続位置に位置する状態で、補給管２２Ｙは、現像カートリッジ６Ｙに接続されない。この状態で、補給管２２Ｙは、トナー収容器２１Ｙから現像カートリッジ６Ｙにトナーを補給できない。
【００６９】
補給管２２Ｙは、現像カートリッジ６Ｙがドロワ４に支持された状態で、ドロワ４が内側位置から外側位置へ移動する場合に、現像カートリッジ６Ｙの一部と接触することにより、接続位置から非接続位置へ移動する。
【００７０】
詳しくは、図６に示すように、現像カートリッジ６Ｙの一部は、第１傾斜面Ｓ１である。第１傾斜面Ｓ１は、ドロワ４の移動方向に対して傾斜する。また、第１傾斜面Ｓ１は、軸方向に対しても、傾斜する。詳しくは、第１傾斜面Ｓ１は、ドロワ４の移動方向において、一端Ｅ１と他端Ｅ２とを有する。他端Ｅ２は、ドロワ４が内側位置から外側位置へ移動する方向において、一端Ｅ１よりも下流側に位置する。現像カートリッジ６Ｙを支持したドロワ４が内側位置に位置した状態で、他端Ｅ２は、軸方向において、一端Ｅ１よりも内壁２Ｃから離れて位置する。第１傾斜面Ｓ１は、一端Ｅ１から他端Ｅ２へ向かうにつれて、内壁２Ｃから離れる。内壁２Ｃに対する第１傾斜面Ｓ１の傾斜角度は、例えば、１０°以上、８０°以下である。
【００７１】
補給管２２Ｙは、第２傾斜面Ｓ２を有する。詳しくは、補給管２２Ｙは、軸方向に延びる。補給管２２Ｙは、円筒形状を有する。補給管２２Ｙは、軸方向において、一端Ｅ１１と他端Ｅ１２とを有する。一端Ｅ１１は、現像カートリッジ６Ｙを支持したドロワ４が内側位置に位置し、補給管２２Ｙが接続位置に位置する状態で、現像カートリッジ６Ｙと接続する。他端Ｅ１２は、軸方向において、一端Ｅ１１と内壁２Ｃとの間に位置する。第２傾斜面Ｓ２は、軸方向における補給管２２Ｙの一端Ｅ１１に位置する。第２傾斜面Ｓ２は、現像カートリッジ６Ｙを支持したドロワ４が内側位置に位置し、補給管２２Ｙが接続位置に位置する状態で、第１傾斜面Ｓ１と平行である。第２傾斜面Ｓ２は、現像カートリッジ６Ｙを支持したドロワ４が内側位置に位置し、補給管２２Ｙが接続位置に位置する状態で、第１傾斜面Ｓ１と向かい合う。補給管２２Ｙは、現像カートリッジ６Ｙがドロワ４に支持された状態で、ドロワ４が内側位置から外側位置へ移動する場合に、第２傾斜面Ｓ２が第１傾斜面Ｓ１と接触することにより、接続位置から非接続位置へ向かって移動する。詳しくは、現像カートリッジ６Ｙがドロワ４に支持された状態で、ドロワ４が内側位置から外側位置へ移動すると、第１傾斜面Ｓ１は、第２傾斜面Ｓ２に接触する。そして、第１傾斜面Ｓ１が第２傾斜面Ｓ２に接触した状態で、ドロワ４がさらに外側位置へ移動すると、補給管２２Ｙは、第１傾斜面Ｓ１によって押圧されて、接続位置から非接続位置へ向かって移動する。
【００７２】
補給管２２Ｙは、図７に示すように、受入穴４１Ｙと、遮蔽壁４２Ｙと、供給口４３Ｙと、ロック部材収容部４４Ｙと、ロック部材４５Ｙと、第２押圧部材４６Ｙとを有する。すなわち、画像形成装置１は、ロック部材４５Ｙを備える。
【００７３】
２．２．１  受入穴
受入穴４１Ｙは、補給管２２Ｙの周壁の一部に設けられる。受入穴４１Ｙは、軸方向において、ロック部材収容部４４Ｙと供給口４３Ｙとの間に位置する。受入穴４１Ｙは、貫通穴である。受入穴４１Ｙは、補給管２２Ｙの内部空間と通じる。また、受入穴４１Ｙは、トナー収容器２１Ｙが本体筐体２に装着され、補給管２２Ｙが接続位置に位置した状態で、支持部材２３Ｙの連通穴４７Ｙを介して、供給部２９Ｙの排出穴３１Ｙと通じる。これにより、受入穴４１Ｙは、補給管２２Ｙが接続位置に位置する状態において、排出穴３１Ｙから排出されたトナーを、連通穴４７Ｙを介して受け入れ可能である。
【００７４】
２．２．２  遮蔽壁
遮蔽壁４２Ｙは、補給管２２Ｙの周壁の一部である。遮蔽壁４２Ｙは、軸方向において、受入穴４１Ｙと、補給管２２Ｙの一端Ｅ１１との間に位置する。遮蔽壁４２Ｙは、図９に示すように、補給管２２Ｙが非接続位置に位置する状態において、連通穴４７Ｙを遮蔽する。
【００７５】
２．２．３  供給口
供給口４３Ｙは、図７に示すように、補給管２２Ｙの周壁の一部に設けられる。供給口４３Ｙは、軸方向において、受入穴４１Ｙから離れて位置する。供給口４３Ｙは、軸方向において、受入穴４１Ｙと、補給管２２Ｙの一端Ｅ１１との間に位置する。言い換えると、供給口４３Ｙは、軸方向において、受入穴４１Ｙよりも補給管２２Ｙの一端Ｅ１１の近くに位置する。供給口４３Ｙは、補給管２２Ｙが現像カートリッジ６Ｙと接続した状態で、現像カートリッジ６Ｙの内部空間と通じる。これにより、補給管２２Ｙ内のトナーは、補給管２２Ｙが現像カートリッジ６Ｙと接続した状態で、供給口４３Ｙを通って現像カートリッジ６Ｙに供給される。
【００７６】
２．２．４  ロック部材収容部
ロック部材収容部４４Ｙは、補給管２２Ｙの他端Ｅ１２に位置する。ロック部材収容部４４Ｙは、内部にロック部材４５Ｙを収容する。ロック部材収容部４４Ｙの内部空間と、補給管２２Ｙの内部空間とは、通じていない。
【００７７】
２．２．５  ロック部材
ロック部材４５Ｙは、ロック部材収容部４４Ｙ内に位置する。ロック部材４５Ｙは、ロック位置（図９参照）とロック解除位置（図７参照）との間を、補給管２２Ｙに対して、補給管２２Ｙの移動方向と交差する交差方向に、移動可能である。すなわち、ロック部材４５Ｙは、ロック位置とロック解除位置との間を、補給管２２Ｙに対して、軸方向と交差する交差方向に、移動可能である。交差方向は、好ましくは、補給管２２Ｙの移動方向と直交する。なお、ロック部材４５Ｙの移動方向は、補給管２２Ｙの移動方向に対して傾斜してもよい。本実施形態では、ロック部材４５Ｙは、補給管２２Ｙに対して、上下方向に移動可能である。ロック部材４５Ｙは、交差方向に延びる。ロック部材４５Ｙは、円柱形状を有する。ロック部材４５Ｙは、図９に示すように、補給管２２Ｙが非接続位置に位置する状態で、ロック位置に位置し、かつ、支持部材２３Ｙのロック穴４８Ｙに嵌まる。ロック穴４８Ｙについては、後で説明する。ロック部材４５Ｙがロック穴４８Ｙに嵌まることにより、ロック部材４５Ｙは、非接続位置に位置する補給管２２Ｙを支持部材２３Ｙに対してロックする。すなわち、ロック部材４５Ｙがロック位置に位置する状態で、ロック部材４５Ｙは、補給管２２Ｙを支持部材２３Ｙに対してロックする。また、ロック部材４５Ｙは、ロック解除位置に位置することにより、支持部材２３Ｙのロック穴４８Ｙから外れる。ロック部材４５Ｙがロック穴４８Ｙから外れることにより、支持部材２３Ｙに対する補給管２２Ｙのロックが解除され、補給管２２Ｙは、非接続位置から接続位置へ移動可能となる。すなわち、ロック部材４５Ｙがロック解除位置に位置する状態で、支持部材２３Ｙに対する補給管２２Ｙのロックは、解除される。ロック部材４５Ｙは、湾曲面Ｓ３を有する。湾曲面Ｓ３は、図７に示すように、補給管２２Ｙが接続位置に位置する状態で、支持部材２３Ｙの内面Ｓ１１に接触する。湾曲面Ｓ３が支持部材２３Ｙの内面Ｓ１１に接触することにより、ロック部材４５Ｙは、補給管２２Ｙが接続位置に位置する状態で、ロック解除位置に維持される。
【００７８】
２．２．６  第２押圧部材
第２押圧部材４６Ｙは、ロック部材収容部４４Ｙ内に位置する。第２押圧部材４６Ｙは、ロック解除位置に位置するロック部材４５Ｙをロック位置に向かって押圧する。具体的には、第２押圧部材４６Ｙは、圧縮ばねである。第２押圧部材４６Ｙは、交差方向に伸縮可能である。
【００７９】
２．３  支持部材
支持部材２３Ｙは、本体筐体２の内壁２Ｃから突出する。なお、支持部材２３Ｙは、本体筐体２とは別の部品であり、本体筐体２に取り付けられていてもよい。支持部材２３Ｙは、軸方向に延び、筒形状を成す。補給管２２Ｙは、支持部材２３Ｙの内部に嵌まる。これにより、支持部材２３Ｙは、補給管２２Ｙを移動可能に支持する。詳しくは、支持部材２３Ｙは、内面Ｓ１１と、外面Ｓ１２とを有する。内面Ｓ１１は、補給管２２Ｙが支持部材２３Ｙの内部に嵌まった状態で、補給管２２Ｙと接触して、補給管２２Ｙの移動を案内する。外面Ｓ１２は、トナー収容器２１Ｙが本体筐体２に装着された状態で、供給部２９Ｙと接触して、トナー収容器２１Ｙの本体筐体２への着脱を案内する。また、支持部材２３Ｙは、連通穴４７Ｙと、ロック穴４８Ｙとを有する。
【００８０】
連通穴４７Ｙは、支持部材２３Ｙの周壁の一部に設けられる。連通穴４７Ｙは、貫通穴である。連通穴４７Ｙは、トナー収容器２１Ｙが本体筐体２に装着された状態で、排出穴３１Ｙと通じる。また、連通穴４７Ｙは、補給管２２Ｙが接続位置に位置した状態で、受入穴４１Ｙと通じる。すなわち、連通穴４７Ｙは、トナー収容器２１Ｙが本体筐体２に装着され、補給管２２Ｙが接続位置に位置した状態で、排出穴３１Ｙおよび受入穴４１Ｙと通じる。これにより、排出穴３１Ｙから排出されたトナーは、連通穴４７Ｙを通って、受入穴４１Ｙに流入する。
【００８１】
ロック穴４８Ｙは、支持部材２３Ｙの周壁の一部に設けられる。ロック穴４８Ｙは、貫通穴である。図９に示すように、ロック穴４８Ｙには、補給管２２Ｙが非接続位置に位置した状態で、ロック位置に位置するロック部材４５Ｙが嵌まる。ロック部材４５Ｙがロック穴４８Ｙに嵌まることにより、補給管２２Ｙは、非接続位置に位置する。詳しくは、補給管２２Ｙは、図７および図８に示すように、現像カートリッジ６Ｙがドロワ４に装着された状態で、ドロワ４が内側位置から外側位置へ移動する場合に、現像カートリッジ６Ｙの一部、具体的には、第１傾斜面Ｓ１（図６参照）と接触することにより、接続位置（図７参照）から、接続位置と非接続位置との間の中間位置（図８参照）まで移動する。
【００８２】
すると、図８に示すように、ロック部材４５Ｙの湾曲面Ｓ３がロック穴４８Ｙの縁Ｅと接触する。なお、好ましくは、ロック穴４８Ｙの縁Ｅは、面取りされている。ロック部材４５Ｙは、湾曲面Ｓ３が縁Ｅと接触した状態で、ロック穴４８Ｙに嵌まっておらず、ロック解除位置に位置していない。本実施形態では、ロック部材４５Ｙは、ロック解除位置とロック位置との間に位置する。
【００８３】
湾曲面Ｓ３が縁Ｅと接触すると、図８および図９に示すように、ロック部材４５Ｙが第２押圧部材４６Ｙによってロック解除位置からロック位置へ向かって押圧されることにより、ロック部材４５Ｙは、ロック穴４８Ｙに誘いこまれる。このとき、ロック部材４５Ｙは、軸方向において現像カートリッジ６Ｙから離れる方向に移動しながら、ロック穴４８Ｙに嵌まる。すると、補給管２２Ｙは、押圧部材２４Ｙの押圧力に抗して、軸方向において現像カートリッジ６Ｙから離れる方向に移動する。これにより、補給管２２Ｙは、中間位置から非接触位置まで移動する。すなわち、補給管２２Ｙは、湾曲面Ｓ３がロック穴４８Ｙの縁Ｅと接触することにより、中間位置から非接続位置まで移動する。
【００８４】
そして、図５および図９に示すように、補給管２２Ｙが非接続位置に位置すると、補給管２２Ｙは、軸方向において、現像カートリッジ６Ｙ（図５参照）から離れる。言い換えると、補給管２２Ｙが非接続位置に位置する状態で、補給管２２Ｙは、ドロワ４に支持された現像カートリッジ６Ｙの移動方向における移動軌跡と重ならない位置に位置する。これにより、非接続位置に位置する補給管２２Ｙは、現像カートリッジ６Ｙを支持したドロワ４が外側位置から内側位置へ移動する場合に、現像カートリッジ６Ｙと接触しない。
【００８５】
２．４  押圧部材
図９に示すように、押圧部材２４Ｙは、支持部材２３Ｙ内に位置する。押圧部材２４Ｙは、非接続位置に位置する補給管２２Ｙを接続位置に向かって押圧する。具体的には、押圧部材２４Ｙは、圧縮ばねである。押圧部材２４Ｙは、軸方向に伸縮可能である。なお、押圧部材２４Ｙは、軸方向に対して傾斜する方向に、伸縮可能であってもよい。
【００８６】
２．５  ロック解除部材
図１０Ａに示すロック解除部材２５Ｙは、ロック位置に位置するロック部材４５Ｙ（図９参照）をロック解除位置へ向かって押圧するための部材である。詳しくは、ロック解除部材２５Ｙは、離間位置（図１０Ａ参照）と押圧位置（図１０Ｂ参照）との間を、ロック部材４５Ｙが移動する方向に移動可能である。すなわち、ロック解除部材２５Ｙは、軸方向と交差する交差方向に、移動可能である。本実施形態では、ロック解除部材２５Ｙは、上下方向に移動可能である。ロック解除部材２５Ｙは、ロック解除部材２５Ｙの移動方向に延びる。言い換えると、ロック解除部材２５Ｙは、交差方向に延びる。本実施形態では、ロック解除部材２５Ｙは、上下方向に延びる。ロック解除部材２５Ｙは、ロッド形状を有する。
【００８７】
図１０Ａに示すように、離間位置に位置するロック解除部材２５Ｙは、支持部材２３Ｙから離れて位置する。この状態で、離間位置に位置するロック解除部材２５Ｙは、ロック位置に位置するロック部材４５Ｙ（図９参照）から離れて位置する。離間位置に位置するロック解除部材２５Ｙは、ロック位置に位置するロック部材４５Ｙと向かい合う。本実施形態では、離間位置に位置するロック解除部材２５Ｙは、ロック位置に位置するロック部材４５Ｙの下方に位置する。
【００８８】
また、図１０Ｂに示すように、押圧位置に位置するロック解除部材２５Ｙは、ロック位置に位置するロック部材４５Ｙ（図９参照）をロック解除位置へ向かって押圧する。これにより、ロック部材４５Ｙは、第２押圧部材４６Ｙ（図９参照）の押圧力に抗して、ロック位置からロック解除位置へ移動する。すると、支持部材２３Ｙに対する補給管２２Ｙのロックが解除されることにより、補給管２２Ｙは、押圧部材２４Ｙの押圧力によって非接続位置から接続位置へ向かって移動する。
【００８９】
２．６  カム
カム２６は、図１０Ａおよび図１０Ｂに示すように、カバー２Ｂの移動に伴って移動可能である。詳しくは、カム２６は、第１位置（図１０Ａ参照）と第２位置（図１０Ｂ参照）との間を、ドロワ４の移動方向に移動可能である。第１位置に位置するカム２６は、ロック解除部材２５Ｙを離間位置に位置させる。第２位置に位置するカム２６は、ロック解除部材２５Ｙを押圧位置に位置させる。カム２６は、カバー２Ｂが開位置に位置する状態で、第１位置に位置し、カバー２Ｂが閉位置に位置する状態で、第２位置に位置する。
【００９０】
より詳しくは、カム２６は、ドロワ４の移動方向に延びる。４つの平面５１Ｙ、５１Ｍ、５１Ｃ、５１Ｋと、４つの平面５２Ｙ、５２Ｍ、５２Ｃ、５２Ｋと、４つの傾斜面５３Ｙ、５３Ｍ、５３Ｃ、５３Ｋと、ラックギア５４とを有する。
【００９１】
４つの平面５１Ｙ、５１Ｍ、５１Ｃ、５１Ｋは、カム２６の移動方向に並ぶ。４つの平面５１Ｙ、５１Ｍ、５１Ｃ、５１Ｋのそれぞれは、カム２６の移動方向において、互いに間隔を隔てる。４つの平面５１Ｙ、５１Ｍ、５１Ｃ、５１Ｋのそれぞれは、カム２６の移動方向に延びる。カム２６が第１位置に位置する場合、平面５１Ｙは、離間位置に位置するロック解除部材２５Ｙと向かい合い、平面５１Ｍは、離間位置に位置するロック解除部材２５Ｍと向かい合い、平面５１Ｃは、離間位置に位置するロック解除部材２５Ｃと向かい合い、平面５１Ｋは、離間位置に位置するロック解除部材２５Ｋと向かい合う。
【００９２】
４つの平面５２Ｙ、５２Ｍ、５２Ｃ、５２Ｋは、カム２６の移動方向に並ぶ。４つの平面５２Ｙ、５２Ｍ、５２Ｃ、５２Ｋのそれぞれは、カム２６の移動方向において、互いに間隔を隔てる。平面５２Ｙは、カム２６の移動方向において、平面５１Ｙに対して平面５２Ｍの反対側に位置する。平面５２Ｍは、カム２６の移動方向において、平面５１Ｙと平面５１Ｍとの間に位置する。平面５２Ｃは、カム２６の移動方向において、平面５１Ｍと平面５１Ｃとの間に位置する。平面５２Ｋは、カム２６の移動方向において、平面５１Ｃと平面５１Ｋとの間に位置する。また、４つの平面５２Ｙ、５２Ｍ、５２Ｃ、５２Ｋは、４つの平面５１Ｙ、５１Ｍ、５１Ｃ、５１Ｋよりも上方に位置する。４つの平面５２Ｙ、５２Ｍ、５２Ｃ、５２Ｋのそれぞれは、カム２６の移動方向に延びる。カム２６が第２位置に位置する場合、平面５２Ｙは、押圧位置に位置するロック解除部材２５Ｙと接触し、平面５２Ｍは、押圧位置に位置するロック解除部材２５Ｍと接触し、平面５２Ｃは、押圧位置に位置するロック解除部材２５Ｃと接触し、平面５２Ｋは、押圧位置に位置するロック解除部材２５Ｋと接触する。
【００９３】
４つの傾斜面５３Ｙ、５３Ｍ、５３Ｃ、５３Ｋは、カム２６の移動方向に並ぶ。４つの傾斜面５３Ｙ、５３Ｍ、５３Ｃ、５３Ｋのそれぞれは、カム２６の移動方向において、互いに間隔を隔てる。傾斜面５３Ｙは、カム２６の移動方向において、平面５１Ｙと平面５２Ｙとの間に位置する。傾斜面５３Ｙは、平面５１Ｙおよび平面５２Ｙに対して傾斜する。傾斜面５３Ｙは、平面５１Ｙおよび平面５２Ｙと接続する。傾斜面５３Ｍは、カム２６の移動方向において、平面５１Ｍと平面５２Ｍとの間に位置する。傾斜面５３Ｍは、平面５１Ｍおよび平面５２Ｍに対して傾斜する。傾斜面５３Ｍは、平面５１Ｍおよび平面５２Ｍと接続する。傾斜面５３Ｃは、カム２６の移動方向において、平面５１Ｃと平面５２Ｃとの間に位置する。傾斜面５３Ｃは、平面５１Ｃおよび平面５２Ｃに対して傾斜する。傾斜面５３Ｃは、平面５１Ｃおよび平面５２Ｃと接続する。傾斜面５３Ｋは、カム２６の移動方向において、平面５１Ｋと平面５２Ｋとの間に位置する。傾斜面５３Ｋは、平面５１Ｋおよび平面５２Ｋに対して傾斜する。傾斜面５３Ｋは、平面５１Ｋおよび平面５２Ｋと接続する。カム２６が第１位置と第２位置との間を移動する場合、傾斜面５３Ｙは、ロック解除部材２５Ｙと接触し、傾斜面５３Ｍは、ロック解除部材２５Ｍと接触し、傾斜面５３Ｃは、ロック解除部材２５Ｃと接触し、傾斜面５３Ｋは、ロック解除部材２５Ｋと接触する。
【００９４】
ラックギア５４は、移動方向におけるカム２６の一部に位置する。ラックギア５４は、複数のアイドルギア５５、５６、５７を介して、カバー２Ｂと接続する。これにより、カム２６は、カバー２Ｂの移動に伴って移動可能である。
【００９５】
３．現像カートリッジの着脱
次いで、図１から図１０Ｂを参照して、現像カートリッジ６Ｙの着脱について説明する。なお、現像カートリッジ６Ｍ、６Ｃ、６Ｋの着脱についての説明は、現像カートリッジ６Ｙの着脱についての説明と同様であるため、省略する。
【００９６】
ユーザーは、現像カートリッジ６Ｙを画像形成装置１から取り外す場合、図３に示すように、カバー２Ｂを開位置に位置させる。すると、図１０Ａに示すように、カム２６は、第１位置に位置し、ロック解除部材２５Ｙは、離間位置に位置する。
【００９７】
次いで、ユーザーは、図２に示すように、ドロワ４を内側位置から外側位置へ引き出す。このとき、図７および図８に示すように、補給管２２Ｙは、現像カートリッジ６Ｙの一部、具体的には、第１傾斜面Ｓ１（図６参照）と接触することにより、接続位置（図７参照）から中間位置（図８参照）まで移動する。その後、図８および図９に示すように、補給管２２Ｙは、ロック部材４５Ｙがロック穴４８Ｙに誘い込まれることにより、中間位置（図８参照）から非接続位置（図９参照）まで移動する。非接続位置に位置した補給管２２Ｙは、ロック部材４５Ｙがロック穴４８Ｙに嵌まることにより、支持部材２３Ｙにロックされる。補給管２２Ｙは、図５に示すように、非接続位置に位置することにより、現像カートリッジ６Ｙから離れる。
【００９８】
その後、ユーザーは、外側位置に位置するドロワ４（図２参照）から現像カートリッジ６Ｙを取り外す。これにより、画像形成装置１からの現像カートリッジ６Ｙの取り外しが完了する。
【００９９】
また、ユーザーは、現像カートリッジ６Ｙを画像形成装置１に装着する場合、カバー２Ｂが開位置に位置した状態で、外側位置に位置するドロワ４に、現像カートリッジ６Ｙを装着する。
【０１００】
次いで、ユーザーは、ドロワ４を外側位置から内側位置（図１参照）へ押し込む。このとき、補給管２２Ｙは、非接続位置に位置した状態で、支持部材２３Ｙにロックされている。そのため、ドロワ４が外側位置から内側位置へ移動するときに、現像カートリッジ６Ｙは、補給管２２Ｙに接触しない。
【０１０１】
次いで、ユーザーは、図１０Ａおよび図１０Ｂに示すように、ドロワ４が内側位置に位置した状態で、カバー２Ｂを開位置から閉位置へ移動させる。すると、カム２６は、カバー２Ｂの開位置から閉位置への移動に伴って、第１位置から第２位置へ移動する。カム２６が第２位置に位置すると、図１０Ｂに示すように、ロック解除部材２５Ｙが押圧位置に位置する。
【０１０２】
これにより、ロック部材４５Ｙがロック解除位置に位置し、図９および図７に示すように、押圧部材２４Ｙの押圧力により、補給管２２Ｙは、非接続位置（図９参照）から接続位置（図７参照）に移動する。
【０１０３】
補給管２２Ｙが接続位置に位置すると、図４に示すように、補給管２２Ｙは、現像カートリッジ６Ｙに接続される。これにより、画像形成装置１への現像カートリッジ６Ｙの装着が完了し、補給管２２Ｙは、トナー収容器２１Ｙから現像カートリッジ６Ｙにトナーを補給可能となる。
【０１０４】
４．作用効果
（１）画像形成装置１によれば、図４に示すように、現像カートリッジ６Ｙを支持するドロワ４が内側位置に位置し、補給管２２Ｙが接続位置に位置する場合、補給管２２Ｙが現像カートリッジ６Ｙに接続された状態で、トナー収容器２１Ｙから現像カートリッジ６Ｙに補給管２２Ｙを介してトナーを補給可能である。
【０１０５】
そのため、トナー収容器２１Ｙから現像カートリッジ６Ｙに供給されるトナーがこぼれることを抑制できる。
【０１０６】
また、図７から図９に示すように、現像カートリッジ６Ｙがドロワ４に支持された状態で、ドロワ４が内側位置から外側位置へ移動する場合に、補給管２２Ｙを、接続位置から非接続位置へ移動させることができる。
【０１０７】
そのため、ユーザーは、補給管２２Ｙを接続位置から非接続位置へ移動させる作業と、ドロワ４を内側位置から外側位置へ移動させる作業とを個別に行う必要が無く、ドロワ４を内側位置から外側位置へ移動させる作業に伴って、補給管２２Ｙを接続位置から非接続位置へ移動させることができる。
【０１０８】
その結果、画像形成装置１に対する現像カートリッジ６Ｙの着脱作業を円滑に実行することができる。
【０１０９】
（２）また、画像形成装置１によれば、図９に示すように、非接続位置に位置する補給管２２Ｙを支持部材２３Ｙに対してロックすることができる。
【０１１０】
その結果、ユーザが意図しないタイミングで補給管２２Ｙが非接続位置から接続位置へ戻ることを抑制できる。
【０１１１】
（３）また、画像形成装置１によれば、図９に示すように、ロック部材４５Ｙを支持部材２３Ｙのロック穴４８Ｙに嵌めるという簡単な構成で、補給管２２Ｙを支持部材２３Ｙに対してロックすることができる。
【０１１２】
（４）また、画像形成装置１によれば、図８および図９に示すように、ロック部材４５Ｙに湾曲面Ｓ３を設けるという簡単な構成で、補給管２２Ｙを、ドロワ４に支持された現像カートリッジ６Ｙの移動方向における移動軌跡と重ならない非接続位置（図９参照）まで、移動させてロックすることができる。
【０１１３】
これにより、現像カートリッジ６Ｙを支持するドロワ４が内側位置と外側位置との間を移動するときに、現像カートリッジ６Ｙが補給管２２Ｙと接触することを防止できる。
【０１１４】
（５）また、画像形成装置１によれば、図１０Ａに示すように、カバー２Ｂが開位置に位置する状態で、ロック解除部材２５Ｙは、ロック位置に位置するロック部材４５Ｙ（図９参照）から離れる。
【０１１５】
そのため、ドロワ４が内側位置に位置する状態で、カバー２Ｂが閉位置から開位置へ移動した場合、補給管２２Ｙは、接続位置から移動しない。
【０１１６】
これにより、ドロワ４を外側位置に位置させる必要が無いときに、ユーザーがカバー２Ｂを閉位置から開位置へ移動させた場合に、補給管２２Ｙが非接続位置に位置することを防止できる。
【０１１７】
その結果、ユーザが意図せず補給管２２Ｙを非接続位置に位置させることを抑制でき、トナー漏れを抑制できる。
【０１１８】
また、図１０Ｂに示すように、カバー２Ｂが閉位置に位置する状態で、ロック解除部材２５Ｙは、ロック位置に位置するロック部材４５Ｙ（図９参照）をロック解除位置へ向かって押圧する。
【０１１９】
これにより、カバー２Ｂの開位置から閉位置への移動に連動して、ロック部材４５Ｙをロック解除位置へ移動させることができる。
【０１２０】
その結果、現像カートリッジ６Ｙを支持するドロワ４が内側位置に位置した状態で、補給管２２Ｙを接続位置から非接続位置に移動させることができる。
【０１２１】
（６）また、画像形成装置１によれば、図７に示すように、支持部材２３Ｙは、補給管２２Ｙと接触する内面Ｓ１１と、トナー収容器２１Ｙが本体筐体２に装着された状態で、トナー収容器２１Ｙの供給部２９Ｙと接触する外面Ｓ１２とを有する。
【０１２２】
そのため、支持部材２３Ｙの内面Ｓ１１により補給管２２Ｙの移動を案内できるとともに、支持部材２３Ｙの外面Ｓ１２を利用して、トナー収容器２１Ｙの本体筐体２への着脱を案内できる。
【０１２３】
（７）また、画像形成装置１によれば、図９に示すように、補給管２２Ｙの遮蔽壁４２Ｙを利用して、トナー収容器２１Ｙから補給管２２Ｙへのトナーの流入を遮断することができる。
【０１２４】
（８）また、画像形成装置１によれば、図６に示すように、現像カートリッジ６Ｙおよび補給管２２Ｙのそれぞれに傾斜面（第１傾斜面Ｓ１、第２傾斜面Ｓ２）を設けるという簡単な構成で、現像カートリッジ６Ｙがドロワ４に支持された状態で、ドロワ４が内側位置から外側位置へ移動する場合に、補給管２２Ｙを接続位置から非接続位置へ向かって移動させることができる。
【０１２５】
（９）また、画像形成装置１によれば、画像形成装置１が４つの現像カートリッジ６Ｙ、６Ｍ、６Ｃ、６Ｋを備える構成において、トナー収容器２１Ｙから現像カートリッジ６Ｙに供給されるトナーがこぼれること、トナー収容器２１Ｍから現像カートリッジ６Ｍに供給されるトナーがこぼれること、トナー収容器２１Ｃから現像カートリッジ６Ｃに供給されるトナーがこぼれること、および、トナー収容器２１Ｋから現像カートリッジ６Ｋに供給されるトナーがこぼれることを抑制できるとともに、本体筐体２に対する現像カートリッジ６Ｙ、６Ｍ、６Ｃ、６Ｋのそれぞれの着脱作業を円滑に実施することができる。
【０１２６】
また、画像形成装置１によれば、４つの現像カートリッジ６Ｙ、６Ｍ、６Ｃ、６Ｋがドロワ４に支持された状態で、ドロワ４が内側位置から外側位置へ移動するとき、４つの補給管２２Ｙ、２２Ｍ、２２Ｃ、２２Ｋが、それぞれ、非接触位置まで移動してロックされる。
【０１２７】
このため、ドロワ４が内側位置と外側位置との間を移動するときに、各現像カートリッジ６Ｙ、６Ｍ、６Ｃ、６Ｋが各補給管２２Ｙ、２２Ｍ、２２Ｃ、２２Ｋと接触することを、防止できる。
【０１２８】
５．変形例
上記した実施形態では、現像カートリッジ６Ｙは、未使用の状態で、トナーを収容しており、トナー収容器２１Ｙは、現像カートリッジ６Ｙにトナーを補給するが、トナー収容器２１Ｙは、例えば、現像ローラ１１Ｙを有し、未使用の状態で、トナーを収容していない現像器にトナーを補給してもよい。
【０１２９】
また、上記した実施形態では、４つの現像カートリッジ６Ｙ、６Ｍ、６Ｃ、６Ｋを備え、多色印刷が可能な画像形成装置１を挙げて説明しているが、画像形成装置は、１つの現像カートリッジ６Ｋを備える単色印刷専用の画像形成装置であってもよい。
【符号の説明】
【０１３０】
１        画像形成装置
２        本体筐体
２Ａ      開口
２Ｂ      カバー
２Ｃ      内壁
４        ドロワ
６Ｙ      現像カートリッジ
６Ｍ      現像カートリッジ
６Ｃ      現像カートリッジ
６Ｋ      現像カートリッジ
１１Ｙ    現像ローラ
１１Ｍ    現像ローラ
１１Ｃ    現像ローラ
１１Ｋ    現像ローラ
２１Ｙ    トナー収容器
２１Ｍ    トナー収容器
２１Ｃ    トナー収容器
２１Ｋ    トナー収容器
２２Ｙ    補給管
２２Ｍ    補給管
２２Ｃ    補給管
２２Ｋ    補給管
２３Ｙ    支持部材
２４Ｙ    押圧部材
２５Ｙ    ロック解除部材
２６      カム
２８Ｙ    収容部
２９Ｙ    供給部
３１Ｙ    排出穴
４１Ｙ    受入穴
４２Ｙ    遮蔽壁
４５Ｙ    ロック部材
４６Ｙ    第２押圧部材
４７Ｙ    連通穴
４８Ｙ    ロック穴
Ｅ        縁
Ｓ１      第１傾斜面
Ｓ２      第２傾斜面
Ｓ３      湾曲面
Ｓ１１    内面
Ｓ１２    外面
【図１】
2019207352.tif 000003
【図２】
2019207352.tif 000004
【図３】
2019207352.tif 000005
【図４】
2019207352.tif 000006
【図５】
2019207352.tif 000007
【図６】
2019207352.tif 000008
【図７】
2019207352.tif 000009
【図８】
2019207352.tif 000010
【図９】
2019207352.tif 000011
【図１０】
2019207352.tif 000012